(57)【要約】【課題】ソースシステムとターゲットシステムとの間のハンドオフを遂行する方法及びシステムを提供する。【解決手段】ターゲットシステムは、ソースシステムとは異なるネットワークアクセス規格を有する。ソースシステムに接続された移動端末は、ターゲットシステムにアクセスするために、要請メッセージをソースシステムを介してターゲットシステムに送信する。ターゲットシステムのセッション記憶部は、移動端末の識別子をソースシステムを介して移動端末から取得するとともに、、取得された識別子を使用して、移動端末がソースシステムにアクセスする前に接続されていた旧セッション記憶部から移動端末のセッション情報を取得する。セッション情報を取得した後に、ターゲットシステムのゲートウェイは、ソースシステムのゲートウェイからコンテキスト情報を取得する。移動端末のハンドオフ後に、データサービスを移動端末に提供する。【選択図】図３
2008172782.tif 000002
【特許請求の範囲】
【請求項１】
移動端末がソースシステムと前記ソースシステムとは異なるネットワークアクセス規格を有するターゲットシステムとの間のハンドオフを遂行する方法であって、
前記ソースシステムに接続された移動端末が、前記ターゲットシステムにアクセスするために、前記ターゲットシステムで識別される前記移動端末の識別子を含む要請メッセージを前記ソースシステムを介して前記ターゲットシステムに送信するステップと、
前記ターゲットシステムのセッション記憶部が、前記移動端末の識別子を前記ソースシステムを介して前記移動端末から取得するステップと、
前記ターゲットシステムのセッション記憶部が、前記取得された識別子を使用して、前記移動端末が前記ソースシステムにアクセスする前に接続されていた旧セッション記憶部から前記移動端末のセッション情報を取得するステップと、
前記セッション情報を取得した後に、前記ターゲットシステムのゲートウェイが、前記ソースシステムのゲートウェイから前記移動端末のデータサービスに関連したコンテキスト情報を取得するステップと、
前記移動端末のハンドオフ後に、前記ターゲットシステムが、前記セッション情報及び前記データサービス関連情報を使用して、前記データサービスを前記移動端末に提供するステップと、
を含むことを特徴とする方法。
【請求項２】
前記ソースシステムは、ワイマックス（Worldwide Interoperability for Microwave Access：ＷｉＭａｘ）システムを含み、前記ターゲットシステムは、１ｘＥＶＤＯ（1x Evolution Data Only）システムを含み、前記セッション記憶部は、パケット制御器（ＰＣＦ）であり、前記ターゲットシステムのゲートウェイは、パケットデータサービスノード（ＰＤＳＮ）であり、前記ソースシステムのゲートウェイは、アクセスサービスネットワーク（ＡＳＮ）であることを特徴とする請求項１に記載の方法。
【請求項３】
前記セッション情報は、前記移動端末が前記ＷｉＭａｘシステムにアクセスする前に接続されていた前記１ｘＥＶＤＯシステムのネットワークアクセス設定情報及びサービス品質（ＱｏＳ）情報を含むことを特徴とする請求項２に記載の方法。
【請求項４】
前記コンテキスト情報は、前記ＷｉＭａｘシステムが前記データサービスを前記移動端末に提供するために使用されたフィルタリング情報及び認証情報を含むことを特徴とする請求項２に記載の方法。
【請求項５】
前記移動端末の識別子は、端末識別子（ＵＡＴＩ）を含むことを特徴とする請求項２に記載の方法。
【請求項６】
前記移動端末の識別子は、前記ソースシステムのＡＳＮから前記ターゲットシステムのＰＤＳＮを介して前記ターゲットシステムのＰＣＦに伝達されることを特徴とする請求項２に記載の方法。
【請求項７】
前記移動端末の識別子は、前記ソースシステムの基地局（ＢＳ）から前記ターゲットシステムのアクセスネットワーク（ＡＮ）を介して前記ターゲットシステムのＰＣＦに伝達されることを特徴とする請求項２に記載の方法。
【請求項８】
前記セッション情報及び前記コンテキスト情報を取得した後に、前記ターゲットシステムのセッション記憶部は、前記データサービスを提供する前に、前記ターゲットシステムで識別される新たな識別子を前記移動端末に割り当てるステップをさらに含むことを特徴とする請求項１に記載の方法。
【請求項９】
前記ターゲットシステムのＰＣＦにより前記ソースシステムから取得された前記移動端末の識別子は、前記移動端末により前記旧ＰＣＦから割り当てられた旧ＵＡＴＩを含むことを特徴とする請求項５に記載の方法。
【請求項１０】
前記セッション情報は、前記旧ＵＡＴＩを使用して検索された前記旧ＰＣＦから取得されることを特徴とする請求項９に記載の方法。
【請求項１１】
ソースシステムと前記ソースシステムとは異なるネットワークアクセス規格を有するターゲットシステムとの間のハンドオフを提供するシステムであって、
前記ソースシステムに接続され、前記ターゲットシステムにアクセスするために、識別子を含む要請メッセージを前記ソースシステムを介して前記ターゲットシステムに送信する移動端末と、
前記移動端末の識別子を前記ソースシステムを介して前記移動端末から取得し、前記取得された識別子を使用して、前記移動端末が予め接続された旧セッション記憶部から前記移動端末のセッション情報を取得する前記ターゲットシステムのセッション記憶部と、
前記セッション情報を取得した後に、前記ソースシステムのゲートウェイから前記移動端末のデータサービスに関連したコンテキスト情報を取得する前記ターゲットシステムのゲートウェイと、を含み、
前記セッション情報及び前記コンテキスト情報は、前記移動端末のハンドオフ後に、前記データサービスを前記移動端末に提供するために使用されることを特徴とするシステム。
【請求項１２】
前記ソースシステムは、ワイマックス（Worldwide Interoperability for Microwave Access：ＷｉＭａｘ）システムを含み、前記ターゲットシステムは、１ｘＥＶＤＯ（1x Evolution Data Only）システムを含み、前記セッション記憶部は、パケット制御器（ＰＣＦ）であり、前記ターゲットシステムのゲートウェイは、パケットデータサービスノード（ＰＤＳＮ）であり、前記ソースシステムのゲートウェイは、アクセスサービスネットワーク（ＡＳＮ）であることを特徴とする請求項１１に記載のシステム。
【請求項１３】
前記セッション情報は、前記移動端末が前記ＷｉＭａｘシステムにアクセスする前に接続されていた前記１ｘＥＶＤＯシステムのネットワークアクセス設定情報及びサービス品質（ＱｏＳ）情報を含むことを特徴とする請求項１２に記載のシステム。
【請求項１４】
前記コンテキスト情報は、前記ＷｉＭａｘシステムが前記データサービスを前記移動端末に提供するために使用されたフィルタリング情報及び認証情報を含むことを特徴とする請求項１２に記載のシステム。
【請求項１５】
前記移動端末の識別子は、端末識別子（ＵＡＴＩ）を含むことを特徴とする請求項１２に記載のシステム。
【請求項１６】
前記移動端末の識別子は、前記ソースシステムのＡＳＮから前記ターゲットシステムのＰＤＳＮを介して前記ターゲットシステムのＰＣＦに伝達されることを特徴とする請求項１２に記載のシステム。
【請求項１７】
前記移動端末の識別子は、前記ソースシステムの基地局（ＢＳ）から前記ターゲットシステムのアクセスネットワーク（ＡＮ）を介して前記ターゲットシステムのＰＣＦに伝達されることを特徴とする請求項１２に記載のシステム。
【請求項１８】
前記セッション情報及び前記コンテキスト情報を取得した後に、前記ターゲットシステムのセッション記憶部は、前記データサービスを提供する前に、前記ターゲットシステムで識別される新たな識別子を前記移動端末に割り当てることを特徴とする請求項１１に記載のシステム。
【請求項１９】
前記ターゲットシステムのＰＣＦにより前記ソースシステムから取得された前記移動端末の識別子は、前記移動端末により前記旧ＰＣＦから割り当てられた旧ＵＡＴＩを含むことを特徴とする請求項１５に記載のシステム。
【請求項２０】
前記セッション情報は、前記旧ＵＡＴＩを使用して検索された前記旧ＰＣＦから取得されることを特徴とする請求項１９に記載のシステム。
【請求項２１】
移動端末がソースシステムと前記ソースシステムとは異なるネットワークアクセス規格を有するターゲットシステムとの間のハンドオフを遂行する方法であって、
前記ソースシステムから隣接セル情報を受信するステップと、
前記隣接セル情報を使用して、前記ターゲットシステムへのハンドオフ要請メッセージを前記ソースシステムに送信するステップと、
前記ハンドオフ要請メッセージを送信した後に、前記ターゲットシステムで識別される前記移動端末の識別子を含む要請メッセージを前記ソースシステムを介して前記ターゲットシステムに送信するステップと、
前記移動端末が送信した識別子を使用して、前記移動端末のセッション情報及び前記移動端末のデータサービスに関連したコンテキスト情報を取得した前記ターゲットシステムから前記ターゲットシステムで識別されることができる新たな識別子を受信するステップと、
前記セッション情報及び前記コンテキスト情報を使用して、前記ターゲットシステムから提供されたデータサービスを受信するステップと、
を含むことを特徴とする方法。
【請求項２２】
前記ソースシステムは、ワイマックス（Worldwide Interoperability for Microwave Access：ＷｉＭａｘ）システムを含み、前記ターゲットシステムは、１ｘＥＶＤＯ（1x Evolution Data Only）システムを含むことを特徴とする請求項２１に記載の方法。
【請求項２３】
前記移動端末の識別子は、端末識別子（ＵＡＴＩ）を含むことを特徴とする請求項２２に記載の方法。
【請求項２４】
前記移動端末が前記ソースシステムを介して前記ターゲットシステムに送信した前記移動端末の識別子は、前記移動端末が前記ソースシステムにアクセスする前に接続されていた旧ＰＣＦから割り当てられた旧ＵＡＴＩを含むことを特徴とする請求項２２に記載の方法。
【請求項２５】
前記セッション情報は、前記旧ＵＡＴＩを使用して検索された前記旧ＰＣＦから取得されることを特徴とする請求項２２に記載の方法。
【発明の詳細な説明】
【技術分野】
【０００１】
本発明は、移動通信システムにおけるハンドオフを遂行するための方法及びそのシステムに関し、特に、相互に異なる種類のネットワークアクセスシステム間のデータサービスのハンドオフをシームレスにかつ効率的に遂行することができる方法及びそのシステムに関する。
【背景技術】
【０００２】
通常、無線通信システムは、端末まで固定された有線ネットワークを接続して使用することができない状況のために開発された。かかる無線通信システムは、通信技術の発展に伴い、移動通信システムに発展した。
【０００３】
第４世代移動通信システムは、第１世代アナログシステム、第２世代デジタルシステム、及び高速マルチメディアサービスを支援する第３世代ＩＭＴ-２０００システムを超えて、超高速マルチメディアサービスを支援する。
【０００４】
第３世代移動通信システムの中で、高速データ送信のためのチャネル構造を有する代表的な移動通信システムは、１ｘＥＶＤＯ（1x Evolution Data Only）システムを含む。１ｘＥＶＤＯシステムは、符号分割多元接続（Code Division Multiple Access：以下、“ＣＤＭＡ”と称する。）方式を使用するシステムである。図１を参照して、通常の１ｘＥＶＤＯシステムの構成について説明する。１ｘＥＶＤＯシステムは、インターネット１００に接続されて、高速パケットデータをアクセスネットワーク（Access Network：以下、“ＡＮ”と称する。）１０３に送信するパケットデータサービスノード（Packet data Service Node：以下、“ＰＤＳＮ”と称する。）１０１と、ＡＮ１０３を制御するパケット制御器（Packet Control Function：以下、“ＰＣＦ”と称する。）１０２と、を含む。ＡＮ１０３は、複数の移動端末（Access Terminal：以下、“ＡＴ”と称する。）１０４と無線で通信し、上記高速のパケットデータをもっとも高い送信率を有するＡＴに送信する。
【０００５】
１ｘＥＶＤＯシステムのような第３世代移動通信システムから発展した第４世代移動通信システムは、超高速マルチメディアサービスのために２０Ｍｂｐｓ以上の送信速度を目標にしており、直交周波数分割多重（Orthogonal Frequency Division Multiplexing：以下、“ＯＦＤＭ”と称する。）方式のように信号を送信するにあたり、直交周波数を使用する。第４世代移動通信システムの代表的な例としては、ＩＥＥＥ（Institute of Electrical and Electronics Engineers）で標準化が進んでいるワイマックス（Worldwide Interoperability for Microwave Access：以下、“ＷｉＭＡＸ”と称する。）システムが挙げられる。図２を参照して、通常のＷｉＭａｘシステムの構成について説明する。ＷｉＭａｘシステムは、複数の端末２０３と無線で通信し、超高速マルチメディアサービスを支援する基地局（Base Station：ＢＳ）２０２と、インターネット２００に接続されて、高速パケットデータを基地局（ＢＳ）２０２に送信するアクセスサービスネットワーク（Access Service Network：以下、“ＡＳＮ”と称する。）２０１と、を含む。
【発明の開示】
【発明が解決しようとする課題】
【０００６】
上記背景に鑑みて、本発明の目的は、相互に異なる種類のネットワークアクセスシステム間のデータサービスのハンドオフをシームレスに（seamless）遂行することができる方式を提供することにある。
【０００７】
本発明の他の目的は、相互に異なる種類のネットワークアクセスシステム間のシームレスなハンドオフを支援するために、データを端末に送信するために使用されるネットワークアクセス設定情報及びサービス品質（Quality of Service：ＱｏＳ）情報のようなセッション情報を相互に異なるネットワークアクセスシステムの各々が記憶して保持する方式を提供することにある。
【０００８】
本発明のさらなる他の目的は、ハンドオフが必要とされる際に、ハンドオフするターゲットシステムは、端末に割り当てられた端末の識別子または端末が自身の情報を最後に登録したシステム構成要素の識別子をソースシステムから取得し、取得された識別子を使用して、端末のセッションに関連した情報を記憶しているシステムから端末のセッション情報を取得する方式を提供することにある。
【０００９】
本発明のさらなる他の１つの目的は、端末の識別子と端末に対応するセッション情報を記憶しているシステム構成要素の識別子とをソースシステムを介して取得すると、ターゲットシステムは、端末の識別子及びシステム構成要素の識別子を用いて、データを端末に送信するのに使用されたネットワークアクセス設定情報及びＱｏＳ情報のようなセッション情報をセッション情報が記憶されているシステムの構成要素から取得する方式を提供することにある。
【００１０】
本発明のさらに他の目的は、識別子情報だけではなく、端末により使用されているデータサービス関連情報、例えば、パケットフィルター情報及び認証情報のようなコンテキスト情報もターゲットシステムに伝達する方式を提供することにある。
【００１１】
本発明のさらにまた他の目的は、端末がソースシステムに無線接続を断絶する前に、ターゲットシステムがネットワークアクセス設定情報及びＱｏＳ情報を取得する動作と、ターゲットシステムがソースシステムからデータサービス関連情報を取得する動作とが遂行される方式を提供することにある。
【００１２】
本発明のさらにその他の目的は、ネットワークアクセス設定情報、ＱｏＳ情報、及びデータサービス関連情報を取得したターゲットシステムが、ターゲットシステムにアクセスするために、端末により必要とされるアクセスメッセージをソースシステムを介して端末に送信する方式を提供することにある。
【００１３】
本発明のもう１つの他の目的は、同一のネットワークアクセス技術を使用する相互に異なるシステムバージョン間のデータサービスのハンドオフをシームレスに遂行することができる方法及びそのシステムを提供することにある。
【課題を解決するための手段】
【００１４】
上記のような目的を達成するために、本発明の一の見地によれば、移動端末がソースシステムと上記ソースシステムと異なるネットワークアクセス規格を有するターゲットシステムとの間のハンドオフを遂行する方法は、上記ソースシステムに接続された移動端末が、上記ターゲットシステムにアクセスするために、上記ターゲットシステムで識別される上記移動端末の識別子を含む要請メッセージを上記ソースシステムを介して上記ターゲットシステムに送信するステップと、上記ターゲットシステムのセッション記憶部が、上記移動端末の識別子を上記ソースシステムを介して上記移動端末から取得するステップと、上記ターゲットシステムのセッション記憶部が、上記取得された識別子を使用して、上記移動端末が上記ソースシステムにアクセスする前に接続されていた旧セッション記憶部から上記移動端末のセッション情報を取得するステップと、上記セッション情報を取得した後に、上記ターゲットシステムのゲートウェイが、上記ソースシステムのゲートウェイから上記移動端末のデータサービスに関連したコンテキスト情報を取得するステップと、上記移動端末のハンドオフ後に、上記ターゲットシステムが、上記セッション情報及び上記データサービス関連情報を使用して、上記データサービスを上記移動端末に提供するステップと、を含むことを特徴とする。
【００１５】
本発明の他の見地によれば、ソースシステムと上記ソースシステムと異なるネットワークアクセス規格を有するターゲットシステムとの間のハンドオフを提供するシステムは、上記ソースシステムに接続され、上記ターゲットシステムにアクセスするために、識別子を含む要請メッセージを上記ソースシステムを介して上記ターゲットシステムに送信する移動端末と、上記移動端末の識別子を上記ソースシステムを介して上記移動端末から取得し、上記取得された識別子を使用して、上記移動端末が予め接続された旧セッション記憶部から上記移動端末のセッション情報を取得する上記ターゲットシステムのセッション記憶部と、上記セッション情報を取得した後に、上記ソースシステムのゲートウェイから上記移動端末のデータサービスに関連したコンテキスト情報を取得する上記ターゲットシステムのゲートウェイとを含み、上記セッション情報及び上記コンテキスト情報は、上記移動端末のハンドオフ後に、上記データサービスを上記移動端末に提供するために使用されることを特徴とする。
【００１６】
本発明のさらなる他の見地によれば、移動端末がソースシステムと上記ソースシステムとは異なるネットワークアクセス規格を有するターゲットシステムとの間のハンドオフを遂行する方法は、上記ソースシステムから隣接セル情報を受信するステップと、上記隣接セル情報を使用して、上記ターゲットシステムへのハンドオフ要請メッセージを上記ソースシステムに送信するステップと、上記ハンドオフ要請メッセージを送信した後に、上記ターゲットシステムで識別される上記移動端末の識別子を含む要請メッセージを上記ソースシステムを介して上記ターゲットシステムに送信するステップと、上記移動端末が送信した識別子を使用して、上記移動端末のセッション情報及び上記移動端末のデータサービスに関連したコンテキスト情報を取得した上記ターゲットシステムから上記ターゲットシステムで識別されることができる新たな識別子を受信するステップと、上記セッション情報及び上記コンテキスト情報を使用して、上記ターゲットシステムから提供されたデータサービスを受信するステップと、を含むことを特徴とする。
【発明の効果】
【００１７】
本発明の実施形態により提案された効率的なハンドオフ方式は、相互に異なる種類のネットワークアクセスシステム間のデータサービスのハンドオフをシームレスに遂行することができる。
【発明を実施するための最良の形態】
【００１８】
以下、本発明の好適な一実施形態を、添付図面を参照しつつ詳細に説明する。なお、図面中、同一の構成要素及び部分には、可能な限り同一の符号及び番号を共通使用するものとする。下記の説明において、本発明の要旨のみを明瞭にする目的で、関連した公知の機能または構成に関する具体的な説明は省略する。
【００１９】
本発明は、相互に異なる種類のネットワークアクセスシステム間のデータサービスのハンドオフをシームレスに遂行することができる方式を提供する。また、本発明は、同一のネットワークアクセス技術を使用するが、相互に異なるシステムバージョンを有するシステム間のデータサービスのハンドオフをシームレスに遂行することができる方法及びそのシステムを提供する。
【００２０】
このために、本発明は、データを端末に送信するために使用されるネットワークアクセス設定情報及びサービス品質（Quality of Service：ＱｏＳ）情報を相互に異なるネットワークアクセス技術を使用するシステム、または同一のネットワークアクセス技術を使用する相互に異なるシステムバージョンの各々が記憶して保持する方式を提供する。本発明は、特定のソースシステム（Source System）において、ソースシステムとアクセスネットワークの種類が異なるか、または、ソースシステムとアクセスネットワークの種類が同一であるが、アクセスネットワークバージョンが異なるターゲットシステム（Target System）へのハンドオフが必要な場合には、上記ターゲットシステムは、上記ソースシステムを介して端末に割り当てられた端末の識別子または上記端末が自身の情報を登録したシステム構成要素（例えば、ＰＣＦ）の識別子を取得する方式を提供する。
【００２１】
また、本発明は、異種システム間のハンドオフだけでなく、同一の移動通信ネットワークにおいて相互に異なるバージョンを支援するシステム間のハンドオフも提供することができる。
【００２２】
本発明が提案する方式において、上記ターゲットシステムは、上記端末の識別子または上記端末のネットワークアクセス設定情報及びＱｏＳ情報を記憶しているシステム構成要素の識別子を用いて、上記ターゲットネットワークにおいて、データを上記端末に送信するのに必要とされるネットワークアクセス設定情報及びＱｏＳ情報（以下、‘セッション（session）情報’と称する。）を記憶しているシステムの構成要素（例えば、旧ＰＣＦ）の位置を探し出すことができる。上記ターゲットシステムは、上記構成要素から上記セッション情報を取得することができる。上記ネットワークアクセス設定情報は、再送信回数、送信電力などに関する情報であることができる。
【００２３】
本発明が提案する方式において、上記ソースシステムは、上記識別子情報だけではなく、上記端末により使用されているデータサービス関連情報、例えば、パケットフィルター情報及び認証情報のようなコンテキスト情報もターゲットシステムに伝達することにより、上記ターゲットシステムがシームレスなデータサービスを上記端末に提供することができる。
【００２４】
本発明は、端末が現在のソースシステムに無線接続を断絶する前に、上記ターゲットシステムが上記ネットワークアクセス設定情報及びＱｏＳ情報を取得する過程と、上記ソースシステムが上記端末に上記データサービスを提供するために必要とされるパケットフィルター情報及び認証情報のようなデータサービス関連情報を上記ターゲットシステムに送信する過程とを遂行する方式を提供する。
【００２５】
本発明で提案する方式において、上記ターゲットシステムは、上記セッション情報及びコンテキスト情報を用いて、上記ソースシステムで遂行されたデータサービスを上記端末にシームレスに提供することができる。
【００２６】
本発明は、上記セッション情報及び上記コンテキスト情報を取得したターゲットシステムが、上記端末が上記ターゲットシステムにアクセスするためのアクセスメッセージを上記ソースシステムを介して上記端末に送信する方式を提供する。本発明で提案する方式において、上記アクセスメッセージを受信した端末は、上記ソースシステムへのアクセスを終了し、ハンドオフするターゲットシステムへの新たなアクセスを開けることができる。
【００２７】
図３は、本発明の実施形態によるＷｉＭａｘシステムと１ｘＥＶＤＯシステムとの間のハンドオフのために必要とされるネットワーク構成要素間のインターフェースを示す図である。参照符号３０１及び３０２は、ＷｉＭａｘシステムの構成要素を示す。参照符号３０１は、ＷｉＭａｘネットワークのアクセスサービスネットワーク（Access Service Network：以下、“ＡＳＮ”と称する。）を示し、ＡＳＮ３０１は、ゲートウェイ（gateway）の役割を遂行し、インターネット３３０及びＷｉＭａｘネットワーク３４０に接続されて、高速パケットデータを参照符号３０２で示されるＷｉＭａｘ基盤の基地局（ＷｉＭａｘ-ｂａｓｅｄ ＢＳ）（ＢＳ-ＷｉＭａｘ）と交換する。ＢＳ-ＷｉＭａｘ３０２は、ＡＳＮ３０１を介して受信されたユーザーデータを端末３１０に送信し、上記端末から受信されたユーザーデータをＡＳＮ３０１に伝達する。参照符号３０６は、ＡＳＮ３０１とＢＳ-ＷｉＭａｘ３０２との間のデータインターフェース（data interface）を示し、参照符号３０７は、制御信号のためのインターフェースを示す。
【００２８】
参照符号３０３〜３０５は、１ｘＥＶＤＯシステムを構成する構成要素を示す。参照符号３０３は、パケットデータサービスノード（Packet Data Service Node：ＰＤＳＮ）を示し、ＰＤＳＮ３０３は、インターネット３３０を１ｘＥＶＤＯネットワーク３５０に接続する役割を遂行する。参照符号３０４は、参照符号３０５で示される１ｘＥＶＤＯ ＡＮ（１ｘＥＶＤＯ基盤のＡＮ）を制御するパケット制御器（Packet Control Function：ＰＣＦ）を示し、１ｘＥＶＤＯ ＡＮ３０５の各々は、ＰＤＳＮ３０３及びＰＣＦ３０４を介して受信されたユーザーデータを端末３２０に送信し、端末３２０から受信されたユーザーデータをＰＣＦ３０４に伝達する役割を遂行する。図３において、ＰＣＦ３０４は、端末３２０の移動性を管理するセッション制御移動性管理部（Session Control/Mobility Management：ＳＣ／ＭＭ）を含んでもよい。
【００２９】
ここで、１ｘＥＶＤＯネットワークのＰＤＳＮ及びＷｉＭａｘネットワークのＡＳＮは、ゲートウェイとも呼ばれ、セッション情報を記憶するためのＰＣＦは、セッション記憶部（session storage）とも呼ばれる。
【００３０】
図３に示す本発明の第１の実施形態において、ＷｉＭａｘネットワーク３４０及び１ｘＥＶＤＯネットワーク３５０は、ＡＳＮ３０１及びＰＤＳＮ３０３を介してユーザーデータ及び制御信号を交換することができる。すなわち、図３の実施形態において、ＷｉＭａｘネットワーク３４０と１ｘＥＶＤＯネットワーク３５０とを相互に接続するインターフェースは、ＡＳＮ３０１とＰＤＳＮ３０３との間のみで定義される。言い換えれば、ＷｉＭａｘネットワーク３４０及び１ｘＥＶＤＯネットワーク３５０は、ＡＳＮ３０１とＰＤＳＮ３０３との間のインターフェースのみを介して相互に接続される。
【００３１】
図４Ａ及び図４Ｂは、本発明の実施形態による図３のアーキテクチャーの下で、ＷｉＭａｘソースシステムから１ｘＥＶＤＯターゲットシステムへのハンドオフ過程を示す図である。説明の便宜上、全体の呼フロー（call flow）は、図４Ａ及び図４Ｂに分けられる。図４Ａ及び図４Ｂに示す第１の実施形態において、端末４３０がＷｉＭａｘシステム及び１ｘＥＶＤＯシステムの各々と送信関連セッション情報を交渉し、各システムが上記送信関連セッション情報を記憶していることを仮定する。
【００３２】
図４Ａ及び図４Ｂにおいて、参照符号４３０は、ＷｉＭａｘシステム（すなわち、ソースシステム）及び１ｘＥＶＤＯシステム（すなわち、ターゲットシステム）のネットワークアクセス技術をすべて支援するデュアルモード端末（Dual Mode Access Terminal）を示す。参照符号４３１は、ＷｉＭａｘシステムの基地局（ＢＳ-ＷｉＭａｘ）を示し、参照符号４３２は、ＷｉＭａｘシステムのアクセスサービスネットワーク（ＡＳＮ）（ＡＳＮ-ＷｉＭａｘ）を示す。参照符号４３３は、１ｘＥＶＤＯシステムのＰＤＳＮを示し、参照符号４３４は、１ｘＥＶＤＯシステムのＰＣＦを示し、参照符号４３５は、１ｘＥＶＤＯシステムのＡＮを示す。
【００３３】
図４Ａのステップ４０１は、デュアルモード端末４３０がＷｉＭａｘネットワーク３４０にアクセスする前に、上記送信関連セッション情報について１ｘＥＶＤＯシステムと交渉したため、１ｘＥＶＤＯシステムの構成要素が上記送信関連セッション情報を既に記憶していることを示す。すなわち、ステップ４０１で、デュアルモード端末４３０は、ＤＯセッション及びポイントツーポイントプロトコル（Point-to-Point Protocol：以下、“ＰＰＰ”と称する。）セッション交渉設定を１ｘＥＶＤＯシステムと既に完了した状態である。また、ＷｉＭａｘネットワーク３４０にアクセスする前に接続されていた１ｘＥＶＤＯネットワークのＰＤＳＮでデュアルモード端末４３０へのＰＰＰセッションがまだ生きている（開放されている）。ステップ４０２で、デュアルモード端末４３０は、ハンドオフ前に、ＷｉＭａｘシステム３４０に接続されている。
【００３４】
ＢＳ-ＷｉＭａｘ４３１は、ステップ４０３に示すように、ＢＳの隣接セルに関する情報をＢＳ内に位置した端末４３０に周期的にまたは非周期的に送信する。この際、上記隣接セルに関する情報は、ＢＳ-ＷｉＭａｘ４３１の隣接ＢＳ-ＷｉＭａｘに関する情報及び隣接１ｘＥＶＤＯ ＡＮに関する情報、例えば、１ｘＥＶＤＯ ＡＮのパイロット擬似ランダムノイズ（Pseudo-random Noise：ＰＮ）オフセット情報及びチャネル情報とともに送信される。
【００３５】
ステップ４０３で、上記隣接セルに関する情報を受信すると、デュアルモード端末４３０は、特定の基準、例えば、１ｘＥＶＤＯ ＡＮの信号強度がＢＳ-ＷｉＭａｘの信号強度より十分に強い場合などに従って、ステップ４０４で、ハンドオフ要請（Mobile Subscriber Station Hand Off-Request：ＭＳＳＨＯ-ＲＥＱ）メッセージをＢＳ-ＷｉＭａｘ４３１に送信することにより、特定のターゲット１ｘＥＶＤＯ ＡＮへのハンドオフを要請することができる。本発明の実施形態では、ＷｉＭａｘシステムから１ｘＥＶＤＯシステムへのハンドオフがなされると仮定したので、図４Ａ及び図４Ｂにおいて、ＡＴ４３０がハンドオフするターゲットＡＮ（すなわち、基地局）は、参照符号４３５で示されるＡＮである。
【００３６】
ステップ４０４で、上記ハンドオフ要請を受信すると、ＢＳ-ＷｉＭａｘ４３１は、ステップ４０５で、上記ハンドオフ要請（handoff request：ＨＯ Ｒｅｑ）メッセージを介してＡＳＮ４３２に伝達することができる。ステップ４０５のハンドオフ要請は、ＡＴ４３０がハンドオフを要請した１ｘＥＶＤＯ ＡＮ４３５に関する情報を含むことができる。ＡＮに関する情報は、パイロットＰＮ、ＡＮ識別子（ＩＤ）、及びＡＮのセクタ識別子を含む。ステップ４０５でのハンドオフ要請を受信したＷｉＭａｘネットワークのＡＳＮ４３２は、ステップ４０６で、ＤＯセッション情報を探すために、１ｘＥＶＤＯネットワークで端末に割り当てられた端末の識別子、すなわち、ＵＡＴＩ（Unicast Access Terminal Identifier）に対する要請をＢＳ-ＷｉＭａｘ４３１を介して端末４３０に送信する。ここで使用される‘ＤＯセッション情報’は、１ｘＥＶＤＯのセッション情報を意味し、‘ＤＯ’及び‘１ｘＥＶＤＯ’は、同一の意味を有する。ステップ４０６でＵＡＴＩ要請を受信すると、端末４３０は、ＵＡＴＩ要請に応じて、ＢＳ-ＷｉＭａｘ４３１を介して、ステップ４０７で、１ｘＥＶＤＯネットワークにより割り当てられた端末識別子ＵＡＴＩをＷｉＭａｘネットワークのＡＳＮ４３２に伝達する。ステップ４０７で、端末４３０のＵＡＴＩを取得すると、ＷｉＭａｘネットワークのＡＳＮ４３２は、ステップ４０８で、ＵＡＴＩを有するハンドオフ要請メッセージをターゲットシステムの１ｘＥＶＤＯ ＰＤＳＮ４３３に送信する。
【００３７】
ステップ４０８で、ＷｉＭａｘネットワークのＡＳＮ４３２がターゲット１ｘＥＶＤＯ ＰＤＳＮ４３３を探すにあたり、ＡＳＮ４３２に対応する１ｘＥＶＤＯ ＰＤＳＮを常に使用するか、または、上記端末がハンドオフを要請したターゲット１ｘＥＶＤＯ ＡＮの情報（例えば、パイロットＰＮオフセット）を使用する方法があり得る。ステップ４０８のハンドオフ要請は、上記端末がハンドオフを要請した１ｘＥＶＤＯ ＡＮに関する情報とともに送信されることができる。
【００３８】
ステップ４０８で、上記ハンドオフ要請を受信した１ｘＥＶＤＯ ＰＤＳＮ４３３は、ステップ４０９で、端末４３０がハンドオフしようとする１ｘＥＶＤＯ ＡＮ４３５を制御する１ｘＥＶＤＯ ＰＣＦ４３４にハンドオフ要請を伝達する。ステップ４０９のハンドオフ要請は、端末４３０が１ｘＥＶＤＯネットワークの旧ＰＣＦから割当てを受けたＵＡＴＩと、端末４３０がハンドオフしようとするターゲット１ｘＥＶＤＯ ＡＮ４３５に関する情報と、を含むことができる。
【００３９】
一般的に、１ｘＥＶＤＯシステムにおいて、ＵＡＴＩは、１つの１ｘＥＶＤＯ ＰＣＦに対応し、ＵＡＴＩの割当てを受けた端末の送信関連セッション情報は、該当する１ｘＥＶＤＯ ＰＣＦに記憶される。ステップ４０９で選択された１ｘＥＶＤＯ ＰＣＦ４３４は、デュアルモード端末４３０が１ｘＥＶＤＯネットワークに予めアクセスしていた場合には、ＵＡＴＩを割り当てた１ｘＥＶＤＯ ＰＣＦとは異なることができる。この場合に、該当する端末のセッション情報は、ステップ４０９のハンドオフ要請に含まれているＵＡＴＩを割り当てたＰＣＦに位置する。したがって、ステップ４０９のハンドオフ要請を受信した１ｘＥＶＤＯ ＰＣＦ４３４は、上記ハンドオフ要請に含まれている旧ＵＡＴＩを用いて、旧ＵＡＴＩを割り当てた旧ＰＣＦを探すことができ、ステップ４１０で、旧ＰＣＦから端末のセッション情報を受信する動作を遂行する。上記セッション情報を取得した後に、ターゲット１ｘＥＶＤＯシステムの１ｘＥＶＤＯ ＰＣＦ４３４は、ハンドオフ過程を遂行しつつ、１ｘＥＶＤＯ ＰＣＦ４３４に対応する新たなＵＡＴＩを端末４３０に割り当てる。ステップ４１０で、旧ＰＣＦから取得されたセッション情報において、上記ネットワークアクセス設定情報は、再送信回数及び送信電力に関する情報である。
【００４０】
ステップ４１０で、図示されない旧ＰＣＦから上記セッション情報を受信すると、１ｘＥＶＤＯ ＰＣＦ４３４は、ステップ４１１で、ハンドオフの収容を示すハンドオフ肯定応答（HandOff Acknowledgement：ＨＯ Ａｃｋ）メッセージを１ｘＥＶＤＯ ＰＤＳＮ４３３に送信する。ステップ４１１で、上記ハンドオフ応答メッセージを受信した１ｘＥＶＤＯ ＰＤＳＮ４３３は、ステップ４１２で、端末４３０のデータサービス関連情報であるコンテキスト情報の送信要請をＷｉＭａｘネットワークのＡＳＮ４３２に送信する。それに応じて、ＷｉＭａｘネットワークのＡＳＮ４３２は、ステップ４１３で、該当する端末４３０のコンテキスト情報を１ｘＥＶＤＯ ＰＤＳＮ４３３に送信する。上記コンテキスト情報は、フィルタリング情報及び認証情報であることができる。ステップ４１３で、端末４３０のコンテキスト情報を１ｘＥＶＤＯ ＰＤＳＮ４３３に伝達した後に、ＷｉＭａｘネットワークのＡＳＮ４３２は、ステップ４１４で、自身のバッファに残っているデータを１ｘＥＶＤＯ ＰＤＳＮ４３３に伝達することができる。
【００４１】
一方、ステップ４１１でハンドオフを収容すると、１ｘＥＶＤＯ ＰＣＦ４３４は、ステップ４１５で、ターゲット１ｘＥＶＤＯ ＡＮ４３５から無線リソース（air resource）関連パラメーターを取得するために、端末４３０がハンドオフしようとするターゲット１ｘＥＶＤＯ ＡＮ４３５にハンドオフ要請を送信する。ステップ４１５のハンドオフ要請を受信したターゲット１ｘＥＶＤＯ ＡＮ４３５は、端末４３０とデータ通信のためのトラフィックチャネルを割り当てるために、端末４３０に無線リソースを割り当て、上記割り当てられた無線リソースに関する情報を含むトラフィックチャネル割当メッセージ（Traffic Channel Assignment Message：ＴＣＡＭ）をステップ４１６乃至ステップ４１９を介して１ｘＥＶＤＯ ＰＣＦ４３４、１ｘＥＶＤＯ ＰＤＳＮ４３３、及びＷｉＭａｘネットワークのＡＳＮ４３２を介したＷｉＭａｘネットワークのＢＳ４３１に送信する。ステップ４２０で、ＷｉＭａｘネットワークのＢＳ４３１は、ＴＣＡＭを基地局ハンドオフ応答（Base station Hand Off Response：ＢＳＨＯ-ＲＳＰ）メッセージを介して端末４３０に伝達する。
【００４２】
ステップ４２０のＢＳＨＯ-ＲＳＰメッセージを受信することにより、端末４３０は、１ｘＥＶＤＯ無線リソースの割当てを受け、ステップ４２０のメッセージを介してその関連情報を受信した端末４３０は、１ｘＥＶＤＯ無線アクセス技術を使用して１ｘＥＶＤＯネットワークと通信を開始することができる。１ｘＥＶＤＯネットワークへのハンドオフを最終的に決定した端末４３０は、ステップ４２１で、ハンドオフ指示（Mobile Subscriber Station Indication：ＭＳＳＨＯ-ＩＮＤ）メッセージをＷｉＭａｘネットワークのＢＳ４３１に送信することにより、ハンドオフするターゲット１ｘＥＶＤＯ ＡＮ４３５を通知し、ＷｉＭａｘネットワークとの無線接続を終了する。その後、ステップ４５１で、端末４３０は、パイロットチャネル及び送信率制御（Data Rate Control：ＤＲＣ）チャネルを１ｘＥＶＤＯ ＡＮ４３５に送信し、ステップ４５２で、１ｘＥＶＤＯ ＡＮ４３５から逆方向トラフィックチャネル（Reverse Traffic Channel：ＲＴＣ）肯定応答（Acknowledgd：ＡＣＫ）信号を受信することにより、逆方向チャネルを取得する。ステップ４５３で、端末４３０は、無線接続を介して１ｘＥＶＤＯネットワークにアクセスする。端末４３０は、ステップ４０４で、ＷｉＭａｘシステム構成要素４３１及び４３２とハンドオフを開始した後に、ステップ４２１で、ＷｉＭａｘネットワークとの無線接続を終了するまで、ＷｉＭａｘ無線接続を介してサービスデータを継続して受信することができる。すなわち、端末４３０は、上記データサービスを遂行するにあたり、ステップ４２１まで何のサービスドロップ（service drop）（断絶）も発生しない。
【００４３】
ステップ４２１で、端末４３０からＭＳＳＨＯ-ＩＮＤメッセージを受信したＢＳ-ＷｉＭａｘ４３１は、ステップ４２２で、ハンドオフの発生を示す情報をハンドオフ肯定応答（ＨＯ Ａｃｋ）メッセージを介してＷｉＭａｘネットワークのＡＳＮ４３２に伝達する。ＷｉＭａｘネットワークのＡＳＮ４３２は、ステップ４２３で、ＨＯ Ａｃｋメッセージを１ｘＥＶＤＯ ＰＤＳＮ４３３に伝達してハンドオフの発生を通知する。
【００４４】
一方、ステップ４１６で、該当する端末４３０に無線リソースを割り当てた１ｘＥＶＤＯ ＡＮ４３５は、ステップ４２４及びステップ４２７を介して１ｘＥＶＤＯ ＰＣＦ４３４とデータのやりとりのためのＡ８インターフェースを設定し、ステップ４２５及びステップ４２６を介して１ｘＥＶＤＯ ＰＤＳＮ４３３とデータのやりとりのためのＡ１０インターフェースを設定する。ステップ４２４乃至ステップ４２７において、上記データが実際に送受信されない状態で、データ送受信のためのインターフェースだけが予め設定されている。ステップ４５１乃至ステップ４５３で、該当する端末４３０と無線接続設定を完了した後に、１ｘＥＶＤＯ ＡＮ４３５は、ステップ４５４乃至ステップ４５９の過程を介してステップ４２４乃至ステップ４２７で設定されたＡ８及びＡ１０インターフェースを活性化させる。ステップ４５４乃至ステップ４５９の後に、１ｘＥＶＤＯ ＡＮ４３５及び１ｘＥＶＤＯ ＰＣＦ４３４は、ターゲット１ｘＥＶＤＯ ＰＣＦ４３４の領域で使用される新たな端末識別子ＵＡＴＩをステップ４６０乃至ステップ４６５を介して該当する端末４３０に割り当てる。
【００４５】
ステップ４５９で、ＰＣＦ４３４は、ステップ４５４に応じて、Ａ９-ＡＬ接続（Connnected）ＡＣＫメッセージをＡＮ４３５に送信した後に、ＡＮ４３５は、ステップ４６０で、端末４３０の新たな識別子（ｎｅｗ ＵＡＴＩ）の割当てを要請するＡ１４-ＵＡＴＩ要請メッセージをＰＣＦ４３４に送信する。ステップ４６１で、ＰＣＦは、Ａ１４-ＵＡＴＩ要請メッセージに応じて、端末４３０に対するＮｅｗ ＵＡＴＩの割当の完了を通知するＡ１４ ＵＡＴＩ割当（Assignment）メッセージをＡＮ４３５に送信し、ＡＮ４３５は、ステップ４６２で、Ａ１４ ＵＡＴＩ割当メッセージを上記端末に送信する。そして、ＡＮ４３５からＡ１４ ＵＡＴＩ割当メッセージを受信した端末４３０は、ステップ４６３で、ＵＡＴＩ割当メッセージに応じて、ＵＡＴＩ完了（Complete）メッセージをＡＮ４３５に送信し、ＡＮ４３５は、ステップ４６４で、ＵＡＴＩ完了メッセージをＰＣＦ４３４に送信する。ＰＣＦ４３４は、Ａ１４ ＵＡＴＩ完了メッセージに応じて、Ａ１４ ＵＡＴＩ完了ＡｃｋメッセージをＡＮ４３５に送信する。
【００４６】
一方、ステップ４５５で、Ａ１１登録要請（Registration Request）メッセージを介して該当する端末４３０との無線接続設定の完了を示す通知を受信すると、１ｘＥＶＤＯ ＰＤＳＮ４３３は、ステップ４５６で、ステップ４５５で受信されたメッセージに応じて、Ａ１１登録応答（A11 Registraion Reply）メッセージを１ｘＥＶＤＯ ＰＣＦ４３４に送信する。その後、ステップ４５７で、ＰＤＳＮ４３３は、バインディングアップデート（Binding Update：ＢＵ）メッセージ及びバインディングアクノリッジメント（Binding Acknlwledgement：ＢＡ）メッセージを図示されないフォーリンエージェント（Foreign Agent：ＦＡ）と交換して、端末４３０に送信されたパケットの経路をＷｉＭａｘネットワークのＡＳＮ４３２から１ｘＥＶＤＯ ＰＤＳＮ４３３に変更する。また、ステップ４５８で、ＰＤＳＮ４３３は、ハンドオフの完了を示すハンドオフ完了（Handoff Complete）メッセージをＷｉＭａｘネットワークのＡＳＮ４３２に送信することができる。
【００４７】
ステップ４６６は、ＷｉＭａｘシステムと１ｘＥＶＤＯシステムとの間のハンドオフが完了したので、ＷｉＭａｘシステムで遂行されたサービス、例えば、ＶｏＩＰサービスが１ｘＥＶＤＯネットワークによりなされる状態であることを意味する。
【００４８】
図５は、本発明の実施形態によるＷｉＭａｘシステムと１ｘＥＶＤＯシステムとの間のハンドオフのために必要とされるネットワーク構成要素間のインターフェースを示す図である。図５のアーキテクチャーにおいて、図３のアーキテクチャーとは異なり、制御信号のためのインターフェース５０８は、ＢＳ-ＷｉＭａｘ５０２と１ｘＥＶＤＯ ＡＮ５０５との間に存在する。
【００４９】
参照符号５０１は、ＷｉＭａｘネットワークのＡＳＮを示し、ＡＳＮ５０１は、インターネット５３０をＷｉＭａｘネットワーク５４０に接続して、高速パケットデータをＢＳ-ＷｉＭａｘ５０２と交換する。ＢＳ-ＷｉＭａｘ５０２は、ＡＳＮ５０１を介して受信されたユーザーデータを端末５１０に送信し、端末５１０から受信されたユーザーデータをＡＳＮ５０１に伝達する役割を遂行する。参照符号５０６は、ＡＳＮ５０１とＢＳ-ＷｉＭａｘ５０２との間のデータインターフェースを示し、参照符号５０７は、制御信号のためのインターフェースを示す。
【００５０】
参照符号５０３〜５０５は、１ｘＥＶＤＯシステムを構成する構成要素を示す。参照符号５０３は、ＰＤＳＮを示し、ＰＤＳＮ５０３は、インターネット５３０を１ｘＥＶＤＯネットワーク５５０に接続する役割を遂行する。参照符号５０４は、１ｘＥＶＤＯ ＡＮ５０５を制御するパケット制御器（ＰＣＦ）を示し、１ｘＥＶＤＯ ＡＮ５０５の各々は、ＰＤＳＮ５０３及びＰＣＦ５０４を介して受信されたユーザーデータを端末５２０に送信し、端末５２０から受信されたデータをＰＣＦ５０４に伝達する役割を遂行する。図５において、ＰＣＦ５０４は、ＳＣ／ＭＭを含むことができる。
【００５１】
図６Ａ及び図６Ｂは、本発明の実施形態による図５のアーキテクチャーの下で、ＷｉＭａｘソースシステムから１ｘＥＶＤＯターゲットシステムへのハンドオフ過程を示す図である。説明の便宜上、全体の呼フローは、図６Ａ及び図６Ｂに分けられる。図６Ａ及び図６Ｂに示す第２の実施形態では、端末が送信関連セッション情報をＷｉＭａｘシステム及び１ｘＥＶＤＯシステムの各々と交渉し、各システムが上記送信関連セッション情報を記憶していることを仮定する。
【００５２】
図６Ａ及び図６Ｂにおいて、参照符号６３０は、ＷｉＭａｘシステム（すなわち、ソースシステム）及び１ｘＥＶＤＯシステム（すなわち、ターゲットシステム）のネットワークアクセス技術をすべて支援するデュアルモード端末を示す。参照符号６３１は、ＷｉＭａｘシステムの基地局（ＢＳ）を示し、参照符号６３２は、ＷｉＭａｘシステムのＡＳＮを示す。参照符号６３３は、１ｘＥＶＤＯシステムのＰＤＳＮを示し、参照符号６３４は、１ｘＥＶＤＯシステムのＰＣＦを示し、参照符号６３５は、１ｘＥＶＤＯ ＡＮを示す。
【００５３】
ステップ６０１は、デュアルモード端末６３０がＷｉＭａｘネットワーク５４０にアクセスする前に、上記送信関連セッション情報について１ｘＥＶＤＯシステムと予め交渉したため、１ｘＥＶＤＯシステムの構成要素が上記送信関連セッション情報を既に記憶していることを示す。すなわち、ステップ６０１で、デュアルモード端末６３０は、ＤＯセッション及びＰＰＰセッション交渉設定を１ｘＥＶＤＯシステムと既に完了した状態である。また、ＷｉＭａｘネットワーク５４０にアクセスする前に接続されていた１ｘＥＶＤＯネットワークのＰＤＳＮでデュアルモード端末６３０へのＰＰＰセッションがまだ生きている（開放されている）。ステップ６０２で、デュアルモード端末６３０は、１ｘＥＶＤＯネットワーク５５０へのハンドオフ前に、ＷｉＭａｘシステム５４０に既に接続されている。
【００５４】
ＢＳ-ＷｉＭａｘ６３１は、ステップ６０３に示すように、基地局の隣接セルに関する情報を基地局内に位置した端末６３０に周期的にまたは非周期的に送信する。この際、上記隣接セルに関する情報は、ＢＳ-ＷｉＭａｘ６３１の隣接ＢＳ-ＷｉＭａｘに関する情報だけではなく、隣接１ｘＥＶＤＯ ＡＮに関する情報、例えば、１ｘＥＶＤＯ ＡＮのパイロットＰＮオフセット情報及びチャネル情報とともに送信される。上記隣接セルに関する情報を受信すると、ステップ６０４で、デュアルモード端末６３０は、特定の基準、例えば、１ｘＥＶＤＯ ＡＮ６３５の信号強度がＢＳ-ＷｉＭａｘ６３１の信号強度より十分に強い場合などに従って、ＭＳＳＨＯ-ＲＥＱメッセージをＢＳ-ＷｉＭａｘ６３１に送信することにより、特定のターゲット１ｘＥＶＤＯ ＡＮ６３５へのハンドオフを要請することができる。ステップ６０４のハンドオフ要請は、端末６３０がハンドオフを要請したターゲット１ｘＥＶＤＯ ＡＮ６３５に関する情報を含むことができる。ステップ６０４でハンドオフ要請を受信すると、ＢＳ-ＷｉＭａｘ６３１は、ステップ６０５で、ハンドオフ要請をターゲット１ｘＥＶＤＯ ＡＮ６３５に送信し、ステップ６０６で、ハンドオフが可能であることを示すＤＯ ＨＯエネーブルメッセージを該当する端末６３０に送信する。
【００５５】
ステップ６０６のＤＯ ＨＯエネーブルメッセージを受信すると、端末６３０は、ステップ６０７で、新たな端末識別子ＵＡＴＩを要請するＵＡＴＩ要請メッセージをカプセル化し、ステップ６０８で、上記カプセル化されたＵＡＴＩ要請メッセージをＢＳ-ＷｉＭａｘ６３１を介してターゲット１ｘＥＶＤＯ ＡＮ６３５に送信する。上記ＵＡＴＩ要請メッセージは、端末６３０が１ｘＥＶＤＯネットワークで割当てを受けた旧ＵＡＴＩとともに送信される。
【００５６】
ステップ６０８で、端末６３０の新たなＵＡＴＩ要請メッセージを受信すると、１ｘＥＶＤＯ ＡＮ６３５は、ステップ６０９で、上記ＵＡＴＩ要請メッセージを該当する１ｘＥＶＤＯ ＡＮ６３５を制御する１ｘＥＶＤＯ ＰＣＦ６３４に伝達する。ステップ６０９で、新たなＵＡＴＩ要請メッセージを受信すると、１ｘＥＶＤＯ ＰＣＦ６３４は、上記ＵＡＴＩ要請メッセージに含まれている旧ＵＡＴＩ情報を用いて、上記旧ＵＡＴＩを割り当てた旧ＰＣＦ（Ｏｌｄ ＰＣＦ）を探すことができ、ステップ６１０で、発見されたＯｌｄ ＰＣＦから端末６３０のセッション情報を取得する動作を遂行する。ステップ６１０で、上記Ｏｌｄ ＰＣＦから端末６３０のセッション情報を取得すると、１ｘＥＶＤＯ ＰＣＦ６３４は、ステップ６１１で、自身の領域に対応する新たなＵＡＴＩを１ｘＥＶＤＯ ＡＮ６３５に伝達する。１ｘＥＶＤＯ ＡＮ６３５は、ステップ６１２乃至ステップ６１５を通して、１ｘＥＶＤＯ ＰＣＦ６３４により新たに割り当てられた識別子（Ｎｅｗ ＵＡＴＩ）をＢＳ-ＷｉＭａｘ６３１を介して端末６３０に伝達し、ステップ６１６及びステップ６１７を通して、端末６３０の識別子の割当ての完了を示す情報を１ｘＥＶＤＯ ＰＣＦ６３４に提供する。
【００５７】
１ｘＥＶＤＯ ＡＮ６３５は、上記新たな端末識別子の割当てを完了した後に、ステップ６１８で、ステップ６０５で受信されたハンドオフ要請メッセージに対する応答メッセージを用いて、セッションの取得及び識別子の割当ての完了を示す情報をＢＳ-ＷｉＭａｘ６３１に提供することができる。ステップ６１８のハンドオフ応答（ＨＯ Ｒｓｐ）メッセージを受信すると、ＢＳ-ＷｉＭａｘ６３１は、ステップ６１９及びステップ６２０で、端末６３０に対するハンドオフ要請をＷｉＭａｘネットワークのＡＳＮ６３２に送信して、端末６３０に対して、新たなデータがＢＳ-ＷｉＭａｘ６３１に送信されることを防止する。
【００５８】
一方、ステップ６１８で、上記セッションの取得及び上記識別子の割当ての完了を示す情報をＢＳ-ＷｉＭａｘ６３１に伝達する１ｘＥＶＤＯ ＡＮ６３５は、ステップ６２１で、無線リソースを端末６３０に割り当て、端末６３０とのデータ送受信をトラフィックチャネルを介して遂行し、上記割り当てられた無線リソースに関する情報を含む１ｘＥＶＤＯ ＴＣＡＭをＢＳ-ＷｉＭａｘ６３１に送信する。ＢＳ-ＷｉＭａｘ６３１は、ステップ６２２で、ＴＣＡＭをカプセル化し、上記カプセル化されたＴＣＡＭを端末６３０に伝達する。
【００５９】
無線リソースを端末６３０に割り当て、１ｘＥＶＤＯ ＴＣＡＭを端末６３０に伝達した後に、１ｘＥＶＤＯ ＡＮ６３５は、ステップ６５１及びステップ６５４で、１ｘＥＶＤＯ ＰＣＦ６３４とデータ交換のためのＡ８インターフェースを設定し、ステップ６５２及びステップ６５３で、１ｘＥＶＤＯ ＰＤＳＮ６３３とデータ交換のためのＡ１０インターフェースを設定する。ステップ６５１乃至ステップ６５４において、上記データが実際に送受信されない状態で、データ送受信のためのインターフェースだけが予め設定されている。
【００６０】
ステップ６５２で、Ａ１０インターフェースに対する設定要請を受信すると、１ｘＥＶＤＯ ＰＤＳＮ６３３は、該当する端末６３０のためのＡ１０データインターフェースを設定し、ステップ６５３で、Ａ１０インターフェースが設定されたことを示す情報を１ｘＥＶＤＯ ＰＣＦ６３４に提供する。１ｘＥＶＤＯ ＰＤＳＮ６３３は、Ａ１０インターフェースを設定した後に、ステップ６５５で、端末６３０のデータサービス関連情報であるコンテキスト情報の送信要請をＷｉＭａｘ ＡＳＮ６３２に送信する。それに応じて、ＷｉＭａｘネットワークのＡＳＮ６３２は、ステップ６５６で、端末６３０のコンテキスト情報を１ｘＥＶＤＯ ＰＤＳＮ６３３に送信する。上記コンテキスト情報は、フィルタリング情報、認証情報などであることができる。ステップ６５６で、端末６３０のコンテキスト情報を１ｘＥＶＤＯ ＰＤＳＮ６３３に伝達した後に、ＷｉＭａｘネットワークのＡＳＮ６３２は、ステップ６５７で、自身のバッファに残っている端末６３０に送信されなければならないデータ又は端末６３０から送信されたデータを１ｘＥＶＤＯ ＰＤＳＮ６３３に伝達することができる。ステップ６５６で、端末６３０のコンテキスト情報を受信すると、１ｘＥＶＤＯ ＰＤＳＮ６３３は、ステップ６５８で、上記受信されたコンテキスト情報に対する応答をＷｉＭａｘ ＡＳＮ６３２に送信し、上記コンテキスト伝達過程を完了する。
【００６１】
一方、１ｘＥＶＤＯ無線リソースの割当てを受け、上記割り当てられた無線リソースに関する情報をステップ６２２のＴＣＡＭを介して受信した端末６３０は、１ｘＥＶＤＯ無線アクセス技術を使用して、１ｘＥＶＤＯネットワーク５５０との通信を開始することができる。１ｘＥＶＤＯネットワーク５５０へのハンドオフを最終的に決定すると、端末６３０は、ステップ６５９で、ハンドオフ指示（HandOff Indication：ＨＯ-ＩＮＤ）メッセージを介してＷｉＭａｘネットワーク５４０との無線接続を終了し、ステップ６６０乃至ステップ６６２を通して、１ｘＥＶＤＯネットワーク５５０との無線接続を設定する。ステップ６０４で、端末６３０がＷｉＭａｘシステムとのハンドオフを開始した後に、ステップ６５９で、ＷｉＭａｘネットワーク５４０との無線接続を終了するまで、ＷｉＭａｘ無線接続を介してサービスデータを継続して受信することができる。すなわち、端末６３０は、上記データサービスを遂行するにあたり、ステップ６５９まで何のサービスドロップ（断絶）も発生しない。
【００６２】
ステップ６６０乃至ステップ６６２で、１ｘＥＶＤＯ ＡＮ６３５は、端末６３０への無線接続設定を完了した後に、ステップ６６３乃至ステップ６６６を介して、Ａ８及びＡ１０インターフェースの活性化を示す情報を有する１ｘＥＶＤＯ ＰＣＦ６３４及び１ｘＥＶＤＯ ＰＤＳＮ６３３は、ステップ６５１乃至ステップ６５４で予め設定される。ステップ６６４で、端末６３０とのＡ８及びＡ１０インターフェースの活性化を示す通知を受信すると、１ｘＥＶＤＯ ＰＤＳＮ６３３は、ステップ６６５で、ステップ６６４のメッセージに応じて、Ａ１１登録応答メッセージを１ｘＥＶＤＯ ＰＣＦ６３４に送信する。その後、１ｘＥＶＤＯ ＰＤＳＮ６３３は、ステップ６６７で、ＢＵメッセージ及びＢＡメッセージを図示されないＦＡと交換して、端末６３０に送信されたパケットの経路をＷｉＭａｘ ＡＳＮ６３２から１ｘＥＶＤＯ ＰＤＳＮ６３３に変更する。また、ステップ６６８で、１ｘＥＶＤＯ ＰＤＳＮ６３３は、ハンドオフの完了を示すハンドオフ完了メッセージをＷｉＭａｘネットワークのＡＳＮ６３２に送信することができる。
【００６３】
最後に、ステップ６６９は、ＷｉＭａｘシステム５４０と１ｘＥＶＤＯシステム５５０との間のハンドオフが完了したので、ＷｉＭａｘシステム５４０で遂行されたサービス、例えば、ＶｏＩＰサービスが１ｘＥＶＤＯネットワーク５５０によりなされる状態であることを意味する。
【００６４】
本発明の実施形態では、ＷｉＭａｘシステムから１ｘＥＶＤＯシステムへのハンドオフを遂行する場合に限定して説明したが、１ｘＥＶＤＯシステムからＷｉＭａｘシステムに、または、任意の相互に異なる２つのシステム間のハンドオフに対しても、同一の方法が適用されることができる。
【００６５】
なお、本発明の詳細な説明においては、具体的な実施の形態について説明したが、本発明の範囲から逸脱しない範囲内であれば、種々な変形が可能であることは言うまでもない。よって、本発明の範囲は、上述した実施の形態に限定されるものではなく、特許請求の範囲とその均等物によって定められるべきである。
【図面の簡単な説明】
【００６６】
【図１】１ｘＥＶＤＯシステム、すなわち、通常の第３世代移動通信システムの構成を示す図である。
【図２】ＷｉＭａｘシステム、すなわち、通常の第４世代移動通信システムの構成を示す図である。
【図３】本発明の実施形態によるＷｉＭａｘシステムと１ｘＥＶＤＯシステムとの間のハンドオフのために必要とされるネットワーク構成要素間のインターフェースを示す図である。
【図４Ａ】本発明の実施形態による図３のアーキテクチャーの下でＷｉＭａｘソースシステムから１ｘＥＶＤＯターゲットシステムへのハンドオフ過程を示す図である。
【図４Ｂ】本発明の実施形態による図３のアーキテクチャーの下でＷｉＭａｘソースシステムから１ｘＥＶＤＯターゲットシステムへのハンドオフ過程を示す図である。
【図５】本発明の実施形態によるＷｉＭａｘシステムと１ｘＥＶＤＯシステムとの間のハンドオフのために必要とされるネットワーク構成要素間のインターフェースを示す図である。
【図６Ａ】本発明の実施形態による図５のアーキテクチャーの下でＷｉＭａｘソースシステムから１ｘＥＶＤＯターゲットシステムへのハンドオフ過程を示す図である。
【図６Ｂ】本発明の実施形態による図５のアーキテクチャーの下でＷｉＭａｘソースシステムから１ｘＥＶＤＯターゲットシステムへのハンドオフ過程を示す図である。
【符号の説明】
【００６７】
３０１  アクセスサービスネットワーク（ＡＳＮ）
３０２  ＷｉＭａｘ基盤の基地局（ＢＳ-ＷｉＭａｘ）  ３０３  パケットデータサービスノード（ＰＤＳＮ）
３０４  パケット制御器（ＰＣＦ）（、セッション制御移動性管理部（ＳＣ／ＭＭ））
３０５  １ｘＥＶＤＯ ＡＮ
３１０，３２０  端末
【図１】
2008172782.tif 000003
【図２】
2008172782.tif 000004
【図３】
2008172782.tif 000005
【図４Ａ】
2008172782.tif 000006
【図４Ｂ】
2008172782.tif 000007
【図５】
2008172782.tif 000008
【図６Ａ】
2008172782.tif 000009
【図６Ｂ】
2008172782.tif 000010
【外国語明細書】
2008172782.tif 000011
2008172782.tif 000012
2008172782.tif 000013
2008172782.tif 000014
2008172782.tif 000015
2008172782.tif 000016
2008172782.tif 000017
2008172782.tif 000018
2008172782.tif 000019
2008172782.tif 000020
2008172782.tif 000021
2008172782.tif 000022
2008172782.tif 000023
2008172782.tif 000024
2008172782.tif 000025
2008172782.tif 000026
2008172782.tif 000027
2008172782.tif 000028
2008172782.tif 000029
2008172782.tif 000030
2008172782.tif 000031
2008172782.tif 000032
2008172782.tif 000033
2008172782.tif 000034
2008172782.tif 000035
2008172782.tif 000036
2008172782.tif 000037
2008172782.tif 000038
2008172782.tif 000039
2008172782.tif 000040